(57)【要約】【課題】ユーザが３次元で表示された３Ｄ画像の変化を正しく確認しながら、自然に操作することができる表示装置を提供する。【解決手段】互いの視野の左右方向の一端部同士が重なりを有する２つの画像データを組み合わせて生成された３次元画像を表示する表示部６と、表示部６の表示画面上に設けられ、外部から接近してくる物体の領域および該表示画面までの距離を検出するとともに、該検出結果に応じた信号の入力を受け付けるタッチパネル７と、表示部６が表示する３次元画像に対し、タッチパネル７が所定の領域で受け付けた信号に応じて３次元画像が表示画面と直交する垂直な方向へ仮想的に飛び出す距離を設定する飛び出し設定部９３と、飛び出し設定部９３が設定した３次元画像を表示部６に表示させる制御を行う表示制御部９５と、を備える。【選択図】図１
2012032964.tif 000002
【特許請求の範囲】
【請求項１】
互いの視野の左右方向の一端部同士が重なりを有する２つの画像データを組み合わせて生成された３次元画像を表示する表示部と、
前記表示部の表示画面上に設けられ、外部から接近してくる物体の領域および該表示画面までの距離を検出するとともに、該検出結果に応じた信号の入力を受け付けるタッチパネルと、
前記表示部が表示する前記３次元画像に対し、前記タッチパネルが所定の領域で受け付けた信号に応じて前記３次元画像が前記表示画面と直交する垂直な方向へ仮想的に飛び出す距離を設定する飛び出し設定部と、
前記飛び出し設定部が設定した前記３次元画像を前記表示部に表示させる制御を行う表示制御部と、
を備えたことを特徴とする表示装置。
【請求項２】
異なる位置から撮影し、互いの視野の左右方向の一端部同士が重なりを有する２つの画像データを生成する撮像部と、
前記撮像部が生成した前記２つの画像データに対応する２つの画像に対し、所定の縦横比率で切出して前記３次元画像を生成する立体画像生成部と、
をさらに備え、
前記飛び出し設定部は、前記立体画像生成部による前記２つの画像データの切出す領域を変更することにより、前記３次元画像の前記飛び出す距離を設定し、
前記表示制御部は、前記飛び出し設定部が設定した前記２つの画像データに対応する画像を、前記表示画面における水平方向の１画素毎に交互に並べて前記表示部に出力する制御を行うことを特徴とする請求項１に記載の表示装置。
【請求項３】
前記飛び出し設定部は、前記タッチパネルが受け付けた信号に応じて、前記立体画像生成部による前記２つの画像データの切出す領域を、前記２つの画像データに含まれる被写体の視差を小さくする方向に向けて段階的に変更することを特徴とする請求項２に記載の表示装置。
【請求項４】
前記表示部が表示する前記３次元画像に対し、前記タッチパネルが受け付けた信号に応じて前記撮像部の露出を調整する露出調整部をさらに備え、
前記表示制御部は、前記露出調整部が調整した前記３次元画像を前記表示部に表示させる制御を行うことを特徴とする請求項１〜３のいずれか一つに記載の表示装置。
【請求項５】
前記飛び出し設定部が設定した前記３次元画像の飛び出し距離を、前記２つの画像データのヘッダ情報として生成するヘッダ情報生成部と、
前記撮像部が生成する複数の画像データと前記ヘッダ情報生成部が生成するヘッダ情報とを対応付けて記憶する記憶部と、
をさらに備えたことを特徴とする請求項１〜４のいずれか一つに記載の表示装置。
【請求項６】
互いの視野の左右方向の一端部同士が重なりを有する２つの画像データを組み合わせて生成された３次元操作画像を所定の領域に表示する表示部と、
前記表示部の表示画面上に設けられ、外部から接近してくる物体の領域および該表示画面までの距離を検出するとともに、該検出結果に応じた信号の入力を受け付けるタッチパネルと、
前記表示部が表示する前記３次元操作画像に対し、前記タッチパネルが受け付けた信号によって指定された前記３次元操作画像の前記表示画面と直交する垂直な方向へ仮想的に飛び出す距離を設定する飛び出し設定部と、
前記飛び出し設定部が設定した前記３次元操作画像を前記表示部に表示させる制御を行う表示制御部と、
前記３次元操作画像の表示変化に応じて、前記表示部が表示する画像の３次元的な表示態様を変更させる制御を行う画像制御部と、
を備えたことを特徴とする表示装置。
【請求項７】
異なる位置から撮影し、互いの視野の左右方向の一端部同士が重なりを有する２つの画像データを生成する撮像部をさらに備え、
前記表示制御部は、前記撮像部が撮影した前記２つの画像データに対応する画像を、前記表示画面における水平方向の１画素毎に交互に並べて前記表示部に出力し、
前記画像制御部は、前記撮像部が撮影した前記２つの画像データに対応する画像の３次元的な表示態様を変更することを特徴とする請求項６に記載の表示装置。
【発明の詳細な説明】
【技術分野】
【０００１】
本発明は、互いの視野の左右方向の一端部同士が重なりを有する２つの画像データを用いて３次元画像を表示する表示装置に関する。
【背景技術】
【０００２】
近年、同一の被写体に対して異なる位置から複数のデジタルカメラを用いて撮影することによって複数の画像データを取得し、この取得した複数の画像データに含まれる被写体の視差を利用することにより、ユーザが立体的に見ることができる３次元画像（以下、「３Ｄ画像」という）を表示する表示装置が知られている。
【０００３】
このような表示装置において、ユーザが表示モニタの画面上に設けられたタッチパネルを操作することにより、表示モニタが表示する画像を３Ｄ画像と２次元画像（以下、「２Ｄ画像」という）とに切換えることができる技術が知られている（特許文献１参照）。この技術では、ユーザによってタッチパネルがタッチされた位置に対応する領域の画像を２Ｄ画像または３Ｄ画像に切換えて表示モニタに表示する。
【先行技術文献】
【特許文献】
【０００４】
【特許文献１】特開２０１０−１０８２０３号公報
【発明の概要】
【発明が解決しようとする課題】
【０００５】
ところで、従来の表示装置が備えるタッチパネルは、表示モニタが３Ｄ画像を表示しているにも関わらず、ユーザによってタッチされた位置を平面的（平面座標）に検出するものである。このため、タッチパネルをタッチする位置と表示モニタの画面上から仮想的に飛び出した３Ｄ画像に触れる位置との間にずれが生じてしまい、ユーザは３Ｄ画像を仮想的にタッチしながら３Ｄ画像の飛び出しを調整することができなかった。
【０００６】
本発明は、上記に鑑みてなされたものであって、ユーザが３次元で表示された３Ｄ画像の変化を正しく確認しながら、自然に操作することができる表示装置を提供することを目的とする。
【課題を解決するための手段】
【０００７】
上述した課題を解決し、目的を達成するために、本発明に係る表示装置は、互いの視野の左右方向の一端部同士が重なりを有する２つの画像データを組み合わせて生成された３次元画像を表示する表示部と、前記表示部の表示画面上に設けられ、外部から接近してくる物体の領域および該表示画面までの距離を検出するとともに、該検出結果に応じた信号の入力を受け付けるタッチパネルと、前記表示部が表示する前記３次元画像に対し、前記タッチパネルが所定の領域で受け付けた信号に応じて前記３次元画像が前記表示画面と直交する垂直な方向へ仮想的に飛び出す距離を設定する飛び出し設定部と、前記飛び出し設定部が設定した前記３次元画像を前記表示部に表示させる制御を行う表示制御部と、を備えたことを特徴とする。
【０００８】
また、本発明に係る表示装置は、上記発明において、異なる位置から撮影し、互いの視野の左右方向の一端部同士が重なりを有する２つの画像データを生成する撮像部と、前記撮像部が生成した前記２つの画像データに対応する２つの画像に対し、所定の縦横比率で切出して前記３次元画像を生成する立体画像生成部と、をさらに備え、前記飛び出し設定部は、前記立体画像生成部による前記２つの画像データの切出し領域を変更することにより、前記３次元画像の前記飛び出す距離を設定し、前記表示制御部は、前記飛び出し設定部が設定した前記２つの画像データに対応する画像を、前記表示画面における水平方向の１画素毎に交互に並べて前記表示部に出力する制御を行うことを特徴とする。
【０００９】
また、本発明に係る表示装置は、上記発明において、前記飛び出し設定部は、前記タッチパネルが受け付けた信号に応じて、前記立体画像生成部による前記２つの画像データの切出す領域を、前記２つの画像データに含まれる被写体の視差を小さくする方向に向けて段階的に変更することを特徴とする。
【００１０】
また、本発明に係る表示装置は、上記発明において、前記表示部が表示する前記３次元画像に対し、前記タッチパネルが受け付けた信号に応じて前記撮像部の露出を調整する露出調整部をさらに備え、前記表示制御部は、前記露出調整部が調整した前記３次元画像を前記表示部に表示させる制御を行うことを特徴とする。
【００１１】
また、本発明に係る表示装置は、上記発明において、前記飛び出し設定部が設定した前記３次元画像の飛び出し距離を、前記２つの画像データのヘッダ情報として生成するヘッダ情報生成部と、前記撮像部が生成する複数の画像データと前記ヘッダ情報生成部が生成するヘッダ情報とを対応付けて記憶する記憶部と、をさらに備えたことを特徴とする。
【００１２】
また、本発明に係る表示装置は、互いの視野の左右方向の一端部同士が重なりを有する２つの画像データを組み合わせて生成された３次元操作画像を所定の領域に表示する表示部と、前記表示部の表示画面上に設けられ、外部から接近してくる物体の領域および該表示画面までの距離を検出するとともに、該検出結果に応じた信号の入力を受け付けるタッチパネルと、前記表示部が表示する前記３次元操作画像に対し、前記タッチパネルが受け付けた信号によって指定された前記３次元操作画像の前記表示画面と直交する垂直な方向へ仮想的に飛び出す距離を設定する飛び出し設定部と、前記飛び出し設定部が設定した前記３次元操作画像を前記表示部に表示させる制御を行う表示制御部と、前記３次元操作画像の表示変化に応じて、前記表示部が表示する画像の３次元的な表示態様を変更させる制御を行う画像制御部と、を備えたことを特徴とする。
【００１３】
また、本発明に係る表示装置は、上記発明において、異なる位置から撮影し、互いの視野の左右方向の一端部同士が重なりを有する２つの画像データを生成する撮像部をさらに備え、前記表示制御部は、前記撮像部が撮影した前記２つの画像データに対応する画像を、前記表示画面における水平方向の１画素毎に交互に並べて前記表示部に出力し、前記画像制御部は、前記撮像部が撮影した前記２つの画像データに対応する画像の３次元的な表示態様を変更することを特徴とする。
【発明の効果】
【００１４】
本発明に係る表示装置によれば、タッチパネルが外部から接近してくる物体の領域および表示画面までの距離を検出するとともに、この検出結果に応じた信号の入力を受け付け、飛び出し設定部が表示部によって表示される３Ｄ画像に対し、タッチパネルが受け付けた信号に応じて３Ｄ画像が表示部の表示画面と直交する垂直な方向へ仮想的に飛び出す距離を設定し、表示制御部が飛び出し設定部によって設定された３Ｄ画像を表示部に表示させる制御を行う。これにより、ユーザが３次元で表示された３Ｄ画像の変化を正しく確認しながら、自然に操作することができるという効果を奏する。
【図面の簡単な説明】
【００１５】
【図１】図１は、本発明の一実施の形態に係る表示装置の構成を示すブロック図である。
【図２】図２は、本発明の一実施の形態に係る表示装置が備える表示部の概略構成を示す模式図である。
【図３】図３は、本発明の一実施の形態に係る表示装置が備えるタッチパネルの概略構成を示す模式図である。
【図４】図４は、本発明の一実施の形態に係る表示装置が備える撮像部が互いの視野の左右方向の一端部同士が重なりを有する２つの画像データを生成する際の状況を示す模式図である。
【図５】図５は、図４に示す状況下で撮像部が生成する２つの画像データそれぞれに対応する２つの画像の一例を示す図である。
【図６】図６は、図４に示す状況下で撮像部が生成した右目画像と左目画像とを仮想的に重ねた画像の一例を示す図である。
【図７】図７は、図４に示す状況下で撮像部と被写体との撮影距離の関係を示す図である。
【図８】図８は、本発明の一実施の形態に係る表示装置が行う処理の概要を示すフローチャートである。
【図９】図９は、表示部によって表示されるユーザが認識する仮想的な３Ｄ画像中に設けられたアイコンを操作する際の模式図である。
【図１０】図１０は、本発明の一実施の形態に係る表示装置が備えるタッチパネルが検出する検出領域を説明する模式図である。
【図１１】図１１は、本発明の一実施の形態に係る表示装置が備える飛び出し設定部が行う処理の概要を示す模式図である。
【図１２】図１２は、飛び出し設定部が立体画像生成部の切出し領域を設定した後の右目画像と左目画像とを仮想的に重ねた画像の一例を示す図である。
【図１３】図１３は、飛び出し設定部によって設定されたユーザが認識する仮想的な３Ｄ画像の一例を示す図である。
【図１４】図１４は、露出調整部によって調整されたユーザが認識する仮想的な３Ｄ画像の一例を示す図である。
【図１５】図１５は、図８の再生表示処理の概要を示すフローチャートである。
【発明を実施するための形態】
【００１６】
以下に、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００１７】
図１は、本発明の一実施の形態に係る表示装置の構成を示すブロック図である。本実施の形態では、表示装置を搭載したデジタルステレオカメラを例に挙げて説明する。図１に示すように、表示装置１は、異なる位置から撮影し、互いの視野の左右方向の一端部同士が重なりを有する２つの画像データを生成する撮像部２と、表示装置１の姿勢を検出する姿勢検出部３と、表示装置１の各種情報の入力を受け付ける操作入力部４と、撮影日時の判定機能やタイマー機能を有する時計５と、２Ｄ画像または３Ｄ画像を表示する表示部６と、外部から接近してくる物体の領域および表示部６の表示画面までの距離を検出するとともに、この検出結果に応じた信号の入力を受け付けるタッチパネル７と、撮像部２によって生成された画像データを含む各種情報を記憶する記憶部８と、表示装置１の動作を制御する制御部９と、を備える。
【００１８】
撮像部２は、第１撮像部２１と第２撮像部２２とを有する。第１撮像部２１および第２撮像部２２は、互いの光軸Ｌ１，Ｌ２が平行または所定の角度をなすように同一平面上に並設される。
【００１９】
第１撮像部２１は、レンズ部２１ａと、レンズ駆動部２１ｂと、絞り２１ｃと、絞り駆動部２１ｄと、シャッタ２１ｅと、シャッタ駆動部２１ｆと、撮像素子２１ｇと、信号処理部２１ｈとを有する。レンズ部２１ａは、フォーカスレンズやズームレンズ等によって構成され、所定の視野領域からの光を集光する。レンズ駆動部２１ｂは、ＤＣモータ等によって構成され、レンズ部２１ａのフォーカスレンズやズームレンズ等を光軸Ｌ１上で移動させることにより、レンズ部２１ａのピント位置や焦点距離の変更を行う。絞り２１ｃは、レンズ部２１ａが集光した光の入射量を制限することにより露出の調整を行う。絞り駆動部２１ｄは、ステッピングモータ等によって構成され、絞り２１ｃを駆動する。シャッタ２１ｅは、撮像素子２１ｇの状態を露光状態または遮光状態に設定する。シャッタ駆動部２１ｆは、ステッピングモータ等によって構成され、レリーズ信号に応じてシャッタ２１ｅを駆動する。撮像素子２１ｇは、レンズ部２１ａが集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部２１ｈに出力する。信号処理部２１ｈは、撮像素子２１ｇから出力される電気信号に増幅等の信号処理を施した後、Ａ／Ｄ変換を行うことによってデジタルの画像データに変換して制御部９に出力する。
【００２０】
第２撮像部２２は、第１撮像部２１と同一の構成によって実現され、レンズ部２２ａと、レンズ駆動部２２ｂと、絞り２２ｃと、絞り駆動部２２ｄと、シャッタ２２ｅと、シャッタ駆動部２２ｆと、撮像素子２２ｇと、信号処理部２２ｈとを有する。
【００２１】
姿勢検出部３は、加速度センサによって構成され、表示装置１の加速度を検出することにより、表示装置１の姿勢状態を検出する。具体的には、姿勢検出部３は、水平面を基準としたときの表示装置１の姿勢を検出する。
【００２２】
操作入力部４は、表示装置１の電源状態をオン状態またはオフ状態に切換える電源スイッチ４１と、静止画撮影の指示を与えるレリーズ信号を入力するレリーズスイッチ４２と、表示装置１の各種撮影モードや各種設定を切換える切換スイッチ４３と、撮像部２のズーム操作を行うズームスイッチ４４とを有する。
【００２３】
時計５は、表示装置１の動作の基準となる時間信号を生成する。これにより、制御部９は、画像データの取得時間や撮像素子２１ｇ，２２ｇの露光時間等を設定することができる。
【００２４】
図２は、表示部６の概略構成を示す模式図である。図２に示すように、表示部６は、バックライト６１と、表示パネル６２と、視差バリア６３とを有する。バックライト６１は、ＬＥＤ（Light  Emitting  Diode）等によって構成され、画像を表示するための光を背面から照射する。表示パネル６２は、液晶または有機ＥＬ（Electro  Luminescence）等の表示パネルによって構成される。視差バリア６３は、液晶等によって構成され、表示パネル６２の上面に積層される。視差バリア６３は、表示パネル６２の各画素の間隔よりも狭い間隔でスリットが設けられ、ユーザの右目Ｏ１と左目Ｏ２とにそれぞれ対応した画像を分離する。また、本実施の形態では、視差バリア６３は、パララックバリア方式が適用される。なお、本実施の形態では、レンティキュラレンズを積層したレンズシートを視差バリア６３に換えて表示パネル６２の上面に積層するようにしてもよい。
【００２５】
以上の構成を有する表示部６は、制御部９から３Ｄ画像データが入力された場合、制御部９の制御のもと表示パネル６２が左端の画素から水平方向に右目画像と左目画像との順で交互に表示し、視差バリア６３が表示パネル６２の各画素から出た光を分離する。このため、右目画像が右目Ｏ１のみ、左目画像が左目Ｏ２のみにそれぞれ届く。これにより、ユーザは、表示部６が表示する３Ｄ画像を仮想的に立体視することができる。また、表示部６は、表示態様を３Ｄ画像から２Ｄ画像に切換える場合、視差バリア６３に印加される電圧がオン状態からオフ状態になることによって、視差バリア６３が遮光状態から透過状態になり、右目画像または左目画像のどちらか一方が表示パネル６２に出力されることで２Ｄ画像を表示することができる。
【００２６】
図３は、タッチパネル７の概略構成を示す模式図である。図３に示すように、タッチパネル７は、フロントパネル７１と、駆動部７２と、駆動電極７３と、受信電極７４と、検出部７５とを有する。フロントパネル７１は、所定の厚みを有し、平面的に見て矩形状に形成されたガラスまたはＰＥＴ（Polyethylene  Terephthalate）で構成される。駆動部７２は、駆動電極７３に駆動パルス（たとえば印加電圧５Ｖ）を出力し、駆動電極７３と受信電極７４との間で静電容量を形成させる。駆動電極７３および受信電極７４は、ＩＴＯ（Indium  Tin  Oxide）電極によって構成され、フロントパネル７１の下面に対して５ｍｍピッチで交互に設けられる。検出部７５は、静電容量センサによって構成され、ユーザの指Ｏ３が電界Ｅ１に接近することにより、駆動電極７３と受信電極７４との間で形成された静電容量の微細な変化量、たとえば指Ｏ３がフロントパネル７１に接触（タッチ）したときの変化量として１ｐＦ程度の値を検出する。この検出部７５は、たとえば米国特許７１４８７０４号明細書に開示されている。この技術を用いることにより、検出部７５は、指Ｏ３がフロントパネル７１に触れる前から駆動電極７３と受信電極７４との間で形成された静電容量の微細な変化を検出することができる。具体的には、検出部７５は、図３に示すように、距離ｈ１（たとえば０．５ｃｍ）の位置と距離ｈ２（たとえば１ｃｍ）の位置とに指Ｏ３があるときのように、微小な距離しか離れていない２箇所を移動する場合の駆動電極７３と受信電極７４との間で形成された静電容量の変化を検出することができる。
【００２７】
以上の構成を有するタッチパネル７は、表示部６の表示画面上に設けられ、外部から接近してくる物体の領域および表示部６の表示画面までの距離を検出するとともに、この検出結果に応じた信号の入力を受け付ける。具体的には、タッチパネル７は、表示部６で表示される２Ｄ画像または３Ｄ画像に基づいて、ユーザがタッチパネル７の画面に触れる前から表示画面の周辺に形成された電界Ｅ１が変化することで生じる静電容量の変化領域および静電容量の変化量に対応する距離を検出し、この変化領域および距離に応じた操作信号の入力を受け付ける。また、本実施の形態では、タッチパネル７は、静電容量方式のタッチパネルを例に説明したが、たとえば光学容量方式や赤外線方式のタッチパネル等であってもよい。
【００２８】
記憶部８は、撮像部２が撮影した画像データを記憶する画像データ記憶部８１と、表示装置１が実行する各種プログラムを記憶するプログラム記憶部８２とを有する。記憶部８は、表示装置１の内部に固定的に設けられるフラッシュメモリやＲＡＭ（Random  Access  Memory）等の半導体メモリを用いて実現される。なお、記憶部８に対し、外部から装着されるメモリカード等の記憶媒体に対して情報を記憶する一方、記憶媒体が記憶する情報を読み出す記録媒体インターフェースとしての機能を具備させてもよい。
【００２９】
制御部９は、ＣＰＵ（Central  Processing  Unit）等によって実現される。制御部９は、操作入力部４およびタッチパネル７からの操作信号等に応じて記憶部８のプログラム記憶部８２からプログラムを読み出して実行し、表示装置１を構成する各部に対する指示やデータの転送等を行って表示装置１の動作を統括的に制御する。制御部９は、画像処理部９１と、立体画像生成部９２と、飛び出し設定部９３と、露出調整部９４と、表示制御部９５と、ヘッダ情報生成部９７とを有する。
【００３０】
画像処理部９１は、信号処理部２１ｈ，２２ｈからそれぞれ出力された左目画像データおよび右目画像データに対して各種の画像処理を施して記憶部８の画像データ記憶部８１に出力する。具体的には、画像処理部９１は、信号処理部２１ｈ，２２ｈからそれぞれ出力された左目画像データおよび右目画像データに対してエッジ強調、色補正およびγ補正等の処理を施す。
【００３１】
立体画像生成部９２は、画像処理部９１によって画像処理された左目画像データおよび右目画像データそれぞれに対し、所定の縦横比率、たとえばアスペクト比３：４で切出すことによって３Ｄ画像を生成する。なお、立体画像生成部９２が左目画像データおよび右目画像データそれぞれから切出す縦横比率は、切換スイッチ４３で設定するようにしてもよい。
【００３２】
飛び出し設定部９３は、表示部６が表示する３Ｄ画像に対し、タッチパネル７が所定の領域で受け付けた信号に応じて、３Ｄ画像が表示部６の表示画面と直交する垂直な方向へ仮想的に飛び出す距離（以下、「飛び出し距離」という）を設定する。具体的には、飛び出し設定部９３は、タッチパネル７が所定の領域で受け付けた信号に応じて、立体画像生成部９２が左目画像データおよび右目画像データからそれぞれ切出す領域を変更することにより、３Ｄ画像の飛び出し距離を設定する。さらに、飛び出し設定部９３は、タッチパネル７が所定の領域で受け付けた信号に応じて、立体画像生成部９２が左目画像データおよび右目画像データからそれぞれ切出す領域を、左目画像データおよび右目画像データそれぞれに含まれる被写体の視差を小さくする方向に向けて段階的に変更することにより、３Ｄ画像の飛び出し距離を設定する。さらにまた、飛び出し設定部９３は、表示部６が表示する複数の３次元操作画像に対し、タッチパネル７が受け付けた信号によって指定された３次元操作画像（以下、「３Ｄ操作画像」という）の飛び出し距離を設定する。なお、本実施の形態では、飛び出し設定部９３は、タッチパネル７が所定の領域で受け付けた信号に応じて、３Ｄ画像が表示部６の表示画面と直交する垂直な方向へ仮想的に引っ込む引っ込み距離（奥行き方向の距離）を調整するようにしてもよい。
【００３３】
露出調整部９４は、表示部６が表示する３Ｄ画像に対し、タッチパネル７が受け付けた信号に応じて撮像部２の露出を調整する。具体的には、露出調整部９４は、タッチパネル７が受け付けた信号に応じて、絞り駆動部２１ｄ，２２ｄを駆動して絞り２１ｃ，２２ｃの設定値を調整することにより撮像部２の露出調整を行う。
【００３４】
表示制御部９５は、３Ｄ画像または２Ｄ画像を表示部６に表示させる制御を行う。具体的には、表示制御部９５は、表示部６に３Ｄ画像を表示させる場合、立体画像生成部９２が生成した３Ｄ画像の左目画像と右目画像とを表示部６の表示画面における水平方向の１画素毎に交互に並べた３Ｄ画像を表示部６に出力する制御を行う。これに対して、表示制御部９５は、表示部６に２Ｄ画像を表示させる場合、表示部６の視差バリア６３を遮光状態から透過状態にするため、視差バリア６３に印加する電源をオン状態からオフ状態にするとともに、左目画像または右目画像どちらか一方のみを表示パネル６２に出力する制御を行う。さらに、表示制御部９５は、飛び出し設定部９３が設定した３Ｄ画像および／または３Ｄ操作画像を表示部６に表示させる制御を行う。また、表示制御部９５は、露出調整部９４が調整した３Ｄ画像を表示部６に表示させる制御を行う。
【００３５】
画像制御部９６は、３Ｄ操作画像の表示変化に応じて、表示部６が表示する画像の３次元的な表示態様を変更させる制御を行う。具体的には、画像制御部９６は、表示部６が所定の領域に表示する３Ｄ操作画像に対し、タッチパネル７が受け付けた信号に応じて飛び出し距離が変化する３Ｄ操作画像に対応させて３Ｄ画像の飛び出し距離を変更する制御を行う。
【００３６】
ヘッダ情報生成部９７は、飛び出し設定部９３が設定した３Ｄ画像の飛び出し距離をヘッダ情報として生成し、このヘッダ情報を撮像部２が生成する画像データに対応付けて画像データ記憶部８１に記憶させる。
【００３７】
以上の構成を有する表示装置１において、撮像部２が互いの視野の左右方向の一端部同士が重なりを有する２つの画像データを生成する際の状況について説明する。図４は、撮像部２が、互いの視野の左右方向の一端部同士が重なりを有する２つの画像データを生成する際の状況を示す模式図である。図５は、図４に示す状況下で撮像部２が生成する２つの画像データそれぞれに対応する２つの画像の一例を示す図である。図５において、図５の画像ＷＲ１が、立体画像生成部９２が第１撮像部２１によって生成された右目画像データに対応する画像から切出して生成した右目画像であり、図５の画像ＷＬ１が、立体画像生成部９２が第２撮像部２２によって生成された左目画像データに対応する画像から切出して生成した左目画像である。図６は、図４に示す状況下で立体画像生成部９２が生成した右目画像と左目画像とを仮想的に重ねた画像の一例を示す図である。図７は、図４に示す状況下で撮像部２と被写体との撮影距離の関係を示す図である。図７では、横軸が左端を原点としたときの画像Ｗ１内の被写体位置であり、縦軸が撮像部２と被写体との距離である。なお、図５および図６において、破線および一点鎖線が第１撮像部２１および第２撮像部２２がそれぞれ生成する画像データに対応する画像領域を示す。
【００３８】
図４に示すように、撮像部２は、撮像部２からの距離が異なる被写体Ａ１（距離ｄ１）および被写体Ａ２（距離ｄ２）に対して、距離Ｂ１離れて並設された第１撮像部２１および第２撮像部２２で撮影することにより、右目画像データと左目画像データとを生成する。その後、立体画像生成部９２が、画像処理部９１によって画像処理された右目画像データおよび左目画像データそれぞれを所定の縦横比率で切出して右目画像ＷＲ１および左目画像ＷＬ１を生成する（図５を参照）。図７に示すように、撮像部２と被写体Ａ２との距離は、撮像部２と被写体Ａ１との距離より大きい。このため、被写体Ａ２の領域がほぼ重なる。具体的には、図６に示すように、画像Ｗ１内では、被写体Ａ２の領域がほぼ重なる。これに対して、被写体Ａ１の領域が重ならず、被写体Ａ１に対して視差ａ１を有する。このように、右目画像ＷＲ１および左目画像ＷＬ１では、撮像部２からの距離が近い被写体（被写体Ａ１）ほど３Ｄ画像内での視差が大きく、撮像部２からの距離が遠い被写体（被写体Ａ２）ほど３Ｄ画像内での視差が小さい。
【００３９】
つぎに、本実施の形態に係る表示装置１が行う処理について説明する。図８は、表示装置１が行う処理の概要を示すフローチャートである。
【００４０】
図８において、まず、制御部９は、表示装置１の電源がオンになっているか否かを判断する（ステップＳ１０１）。表示装置１の電源がオンになっている場合（ステップＳ１０１：Ｙｅｓ）、表示装置１はステップＳ１０２に移行する。一方、表示装置１の電源がオンになっていない場合（ステップＳ１０１：Ｎｏ）、表示装置１は本処理を終了する。
【００４１】
続いて、制御部９は、表示装置１が撮影モードに設定されているか否かを判断する（ステップＳ１０２）。表示装置１が撮影モードに設定されている場合（ステップＳ１０２：Ｙｅｓ）、表示装置１は後述するステップＳ１０３に移行する。一方、表示装置１が撮像モードに設定されていない場合（ステップＳ１０２：Ｎｏ）、表示装置１は後述するステップＳ１１９に移行する。
【００４２】
まず、表示装置１が撮影モードに設定されている場合（ステップＳ１０２：Ｙｅｓ）について説明する。この場合、表示制御部９５は、撮像部２が一定の微小な時間間隔で連続的に生成する画像データに対応する３Ｄ画像のスルー画を表示部６に表示させる（ステップＳ１０３）。
【００４３】
続いて、制御部９は、ユーザによってレリーズスイッチ４２が操作されて撮影を指示するレリーズ信号が入力されたか否かを判断する（ステップＳ１０４）。撮影を指示するレリーズ信号が入力された場合（ステップＳ１０４：Ｙｅｓ）、表示装置１は後述するステップＳ１１６に移行する。一方、撮影を指示するレリーズ信号が入力されていない場合（ステップＳ１０４：Ｎｏ）、表示装置１は後述するステップＳ１０５に移行する。
【００４４】
まず、撮影を指示するレリーズ信号が入力されていない場合（ステップＳ１０４：Ｎｏ）について説明する。この場合、制御部９は、奥行アイコンＱ１が操作されたか否かを判断する（ステップＳ１０５）。奥行アイコンＱ１が操作された場合（ステップＳ１０５：Ｙｅｓ）、表示装置１は後述するステップＳ１０６に移行する。一方、奥行アイコンＱ１が操作されていない場合（ステップＳ１０５：Ｎｏ）、表示装置１は後述するステップＳ１１２に移行する。
【００４５】
図９は、表示部６によって表示されるユーザが認識する仮想的な３Ｄ画像中に設けられたアイコンを操作する際の模式図である。図９に示すように、制御部９は、表示部６が表示する画像Ｗ２の中に設けられ、３Ｄ画像の飛び出し距離の設定を指示する指示信号を入力する奥行アイコンＱ１が操作されたか否かを判断する。この場合、タッチパネル７は、外部から接近してくるユーザの指Ｏ３の領域および表示部６の表示画面と指Ｏ３との距離を検出するとともに、この検出結果に応じた信号の入力を受け付けて制御部９に出力する（図９（ａ）→（ｂ））。また、図１０（ａ）に示すように、ユーザが表示部６によって表示される３Ｄ画像を操作する場合、たとえば表示部６とユーザの右目Ｏ１との間に指Ｏ３が入り込み、ユーザが３Ｄ画像を認識しにくくなり、所望の操作ができない場合がある。このように、両目に入るそれぞれの画像からユーザが３Ｄ画像を知覚する３次元表示の場合、一方の画像のみが遮られたりすると、ユーザは正しい立体の知覚がなされなくなってしまう。すなわち、図１０（ａ）に示す状態では、ユーザは３次元で表示された３Ｄ画像の変化を正しく確認しながら、自然に操作することができなかった。このため、本実施の形態では、図１０（ｂ）に示すように、タッチパネル７は、３Ｄ画像、たとえば奥行アイコンＱ１の飛び出し距離ΔＺに基づいて、検出する検出領域をΔｘ（Δｘ＝ΔＺ／ｔａｎθ）だけ右側または左側に広げて検出する。これにより、ユーザは、３Ｄ画像である奥行アイコンＱ１を仮想的にタッチしながら３Ｄ画像の変化を確認しながら自然に調整することができる。
【００４６】
ステップＳ１０６において、制御部９は、その時点で表示部６によって表示されている３Ｄ画像の引っ込み距離が限界であるか否かを判断する。具体的には、制御部９は、図６に示すように、右目画像ＷＲ１と左目画像ＷＬ１とを仮想的に重ねた画像Ｗ１に含まれる被写体Ａ１の視差ａ１がない状態を３Ｄ画像の引っ込み距離が限界であると判断する。３Ｄ画像の引っ込み距離が限界である場合（ステップＳ１０６：Ｙｅｓ）、表示装置１はステップ１０１に戻る。一方、３Ｄ画像の引っ込み距離が限界でない場合（ステップＳ１０６：Ｎｏ）、表示装置１はステップＳ１０７に移行する。
【００４７】
続いて、制御部９は、タッチパネル７が検出した静電容量の変化量に対応する距離が第１の閾値以下であるか否かを判断する（ステップＳ１０７）。具体的には、タッチパネル７が検出した静電容量の変化量が０．２ｐＦ以下であるか否かを判断する。タッチパネル７が検出した静電容量の変化量に対応する距離が第１の閾値以下である場合（ステップＳ１０７：Ｙｅｓ）、飛び出し設定部９３は、立体画像生成部９２が右目画像データから切出す領域を１／１００移動させる変更を行い（ステップＳ１０８）、表示装置１はステップＳ１０１に戻る。
【００４８】
図１１は、飛び出し設定部９３が行う処理の概要を示す模式図である。図１１において、図１１（ａ）の画像ＷＲ２１および図１１（ｂ）の画像ＷＲ２２が、立体画像生成部９２が第１撮像部２１によって生成された右目画像データから所定の縦横比率で切出した右目画像である。また、図１１（ａ）の画像ＷＬ２１および図１１（ｂ）の画像ＷＬ２２が、立体画像生成部９２が第２撮像部２２によって生成された左目画像データから所定の縦横比率で切出した左目画像である。図１２の画像Ｗ３が、飛び出し設定部９３が立体画像生成部９２の切出し領域を設定した後の右目画像と左目画像とを仮想的に重ねた画像の一例である。図１３は、飛び出し設定部９３によって設定されたユーザが認識する仮想的な３Ｄ画像の一例を示す図である。図１３において、図１３（ａ）の画像Ｗ４が、飛び出し設定部９３による設定前の３Ｄ画像であり、図１３（ｂ）の画像Ｗ５が、飛び出し設定部９３による設定後の３Ｄ画像である。なお、図１１および図１２において、破線および一点鎖線が第１撮像部２１および第２撮像部２２がそれぞれ生成する画像データに対応する画像領域を示す。
【００４９】
図１１に示すように、飛び出し設定部９３は、表示部６が表示する３Ｄ画像に対し、タッチパネル７が奥行アイコンＱ１の領域で受け付けた信号に応じて、立体画像生成部９２が右目画像データおよび左目画像データからそれぞれ切出して生成する右目画像および左目画像の切出し領域を変更して３Ｄ画像の飛び出し距離を設定する。具体的には、飛び出し設定部９３は、表示部６の表示画面と直交する垂直な方向に仮想的に飛び出した被写体Ａ１を表示部６の表示画面側に引っ込ませる場合、立体画像生成部９２による右目画像データの切出し領域を１／１００移動させて変更し（図１１（ａ）→図１１（ｂ））、右目画像ＷＲ２２と左目画像ＷＬ２２とに含まる被写体Ａ１の視差（領域の重なり具合）を小さくすることにより（図１２の画像Ｗ３を参照）、被写体Ａ１の飛び出し距離を設定する（図１３（ａ）→（図１３（ｂ））。さらに、飛び出し設定部９３は、表示部６が表示する奥行アイコンＱ１（３Ｄ操作画像）に対し、タッチパネル７が受け付けた信号に応じて奥行アイコンＱ１の飛び出し距離を設定する（図１３（ａ）→（図１３（ｂ））。具体的には、ユーザが仮想的に奥行アイコンＱ１を押し込んだ量（距離）に応じて奥行アイコンＱ１の飛び出し距離を設定する。
【００５０】
このように、飛び出し設定部９３は、タッチパネル７が奥行アイコンＱ１の領域で受け付けた信号に応じて、立体画像生成部９２が右目画像データおよび左目画像データからそれぞれ切出して生成する右目画像および左目画像の切出す領域を変更して３Ｄ画像の飛び出し距離を設定する。その後、表示制御部９５は、飛び出し設定部９３が設定した３Ｄ画像および／または３Ｄ操作画像を表示部６に表示させる制御を行う。これにより、ユーザは、表示部６が表示する３Ｄ画像の中に設けられた奥行アイコンＱ１を仮想的にタッチしながら３Ｄ画像の飛び出し距離の変化を確認しながら自然に調整することができる。なお、図１１では、飛び出し設定部９３は、右目画像の切出し領域のみ移動させて変更しているが、右目画像および左目画像それぞれ同期させながら、右目画像および左目画像それぞれの切出し領域を移動させて変更し、３Ｄ画像の飛び出し距離を設定してもよい。また、飛び出し設定部９３は、左目画像の切出し領域のみ移動させて変更し、３Ｄ画像の飛び出し距離を設定してもよい。
【００５１】
ここで、図８に戻り、ステップＳ１０７において、タッチパネル７が検出した静電容量の変化量に対応する距離が第１の閾値以下でない場合（ステップＳ１０７：Ｎｏ）について説明する。この場合、制御部９は、タッチパネル７が検出した静電容量の変化量に対応する距離が第２の閾値以下であるか否かを判断する（ステップＳ１０９）。具体的には、タッチパネル７が検出した静電容量の変化量が０．５ｐＦ以下であるか否かを判断する。タッチパネル７が検出した静電容量の変化量に対応する距離が第２の閾値以下である場合（ステップＳ１０９：Ｙｅｓ）、飛び出し設定部９３は、立体画像生成部９２が右目画像データから切出す領域を１／２０移動させる変更を行い（ステップＳ１１０）、表示装置１はステップＳ１０１に戻る。
【００５２】
これに対して、タッチパネル７が検出した静電容量の変化量に対応する距離が第２の閾値以下でない場合（ステップＳ１０９：Ｎｏ）、飛び出し設定部９３は、立体画像生成部９２が右目画像データから切出す領域を１／１０移動させる変更を行い（ステップＳ１１１）、表示装置１はステップＳ１０１に戻る。
【００５３】
つぎに、ステップＳ１０５において、奥行アイコンＱ１が操作されていない場合（ステップＳ１０５：Ｎｏ）について説明する。この場合、制御部９は、戻しアイコンＱ２が操作されたか否かを判断する（ステップＳ１１２）。具体的には、図９に示すように、制御部９は、表示部６が表示する画像Ｗ２の中に設けられ、３Ｄ画像の飛び出し距離を初期状態に戻す指示信号を入力する戻すアイコンＱ２が操作されたか否かを判断する。この場合、制御部９は、タッチパネル７が検出する静電容量が変化した場合、戻すアイコンＱ２が操作されたと判断する。ここで、初期位置とは、３Ｄ画像の飛び出し距離が最大になる右目画像および左目画像それぞれの切出し領域の位置である。具体的には、立体画像生成部９２が生成する右目画像および左目画像それぞれに含まれる被写体Ａ１の視差が最大になる切出し領域の位置である（図６を参照）。戻すアイコンＱ２が操作された場合（ステップＳ１１２：Ｙｅｓ）、飛び出し設定部９３は、立体画像生成部９２が右目画像データから切出す領域を初期位置に戻し（ステップＳ１１３）、表示装置１はステップＳ１０１に戻る。
【００５４】
つぎに、ステップＳ１１２において、戻しアイコンＱ２が操作されていない場合（ステップＳ１１２：Ｎｏ）について説明する。この場合、制御部９は、ＥＶ（露出）アイコンＱ３が操作されたか否かを判断する（ステップＳ１１４）。具体的には、図９に示すように、制御部９は、表示部６が表示する画像Ｗ２の中に設けられ、撮像部２の露出を調整する指示信号を入力するＥＶアイコンＱ３が操作されたか否かを判断する。ＥＶアイコンＱ３が操作されていない場合（ステップＳ１１４：Ｎｏ）、表示装置１はステップＳ１０１に戻る。一方、ＥＶアイコンＱ３が操作された場合（ステップＳ１１４：Ｙｅｓ）、露出調整部９４は、タッチパネル７が検出した静電容量の変化量に対応する距離に応じて撮像部２の露出を調整し（ステップＳ１１５）、表示装置１はステップＳ１０１に戻る。具体的には、露出調整部９４は、図１４に示すように、タッチパネル７が検出する静電容量の変化量に対応する距離に応じて、撮像部２の露出を調整する（図１４（ａ）→図１４（ｂ））。この際、図１４に示すように、表示制御部９５は、表示部６の画面上に絞り値Ｆ１（＋０．３）を表示するようにしてもよい。これにより、ユーザは、３Ｄ画像であるＥＶアイコンＱ３を仮想的にタッチしながら変化させた際の変化量を容易に知ることができる。
【００５５】
つぎに、ステップＳ１０４において、ユーザによってレリーズスイッチ４２が操作されて撮影を指示するレリーズ信号が入力された場合（ステップＳ１０４：Ｙｅｓ）について説明する。この場合、撮像部２は、表示部６が現在表示している画像に対して撮影を行い、撮像した画像データを記憶部８の画像データ記憶部８１に記憶する（ステップＳ１１６）。
【００５６】
続いて、表示制御部９５は、撮像部２が撮影した画像データに対応する３Ｄ画像を表示部６にレックビュー表示させる（ステップＳ１１７）。これにより、ユーザは、撮影した画像の奥行き感を確認することができる。
【００５７】
その後、制御部９は、表示部６による３Ｄ画像のレックビュー表示を行ってから所定時間経過したか否かを判断する（ステップＳ１１８）。具体的には、表示部６による３Ｄ画像のレックビュー表示を行ってから１分間経過したか否かを判断する。制御部９が判断した結果、表示部６による３Ｄ画像のレックビュー表示を行ってから所定時間経過していない場合（ステップＳ１１８：Ｎｏ）、表示装置１はステップＳ１１７に戻る。一方、制御部９が判断した結果、表示部６による３Ｄ画像のレックビュー表示を行ってから所定時間経過している場合（ステップＳ１１８：Ｙｅｓ）、表示装置１はステップＳ１０１に戻る。
【００５８】
ここで、ステップＳ１０２において、表示装置１が撮影モードに設定されていない場合（ステップＳ１０２：Ｎｏ）について説明する。この場合、表示装置１は、撮影した画像データを表示部６に表示する再生表示処理を実行し（ステップＳ１１９）、表示装置１はステップＳ１０１に戻る。
【００５９】
つぎに、図８のステップＳ１１９の再生表示処理について説明する。図１５は、再生表示処理の概要を示すフローチャートである。図１５において、まず、表示制御部９５は、画像データ記憶部８１に記憶された複数の画像データをまとめて表示した画像選択画面を表示部６に表示させる（ステップＳ２０１）。
【００６０】
続いて、制御部９は、ユーザがタッチパネル７を操作することによって表示部６が表示する画像選択画面の中から画像が選択されたか否かを判断する（ステップＳ２０２）。ユーザによって画像選択画面の中から画像が選択された場合（ステップＳ２０２：Ｙｅｓ）、表示装置１は後述するステップＳ２０３に移行する。一方、ユーザによって画像選択画面の中から画像が選択されない場合（ステップＳ２０２：Ｎｏ）、表示装置１は後述するステップＳ２１０に移行する。
【００６１】
まず、ユーザによって画像選択画面の中から画像が選択された場合（ステップＳ２０２：Ｙｅｓ）について説明する。この場合、表示制御部９５は、ユーザによって選択された画像を表示部６に全画面表示させ（ステップＳ２０３）、制御部９は、表示部６が表示する画像が３Ｄ画像であるか否かを判断する（ステップＳ２０４）。具体的には、制御部９は、表示部６が表示している画像のヘッダ情報を参照して３Ｄ画像であるか否かを判断する。表示部６が表示する画像が３Ｄ画像である場合（ステップＳ２０４：Ｙｅｓ）、表示装置１は後述するステップＳ２０５に移行する。一方、表示部６が表示する画像が３Ｄ画像でない場合（ステップＳ２０４：Ｎｏ）、表示装置１は後述するステップＳ２１０に移行する。
【００６２】
ステップＳ２０５において、制御部９は、奥行アイコンＱ１が操作されたか否かを判断する。奥行アイコンＱ１が操作されていない場合（ステップＳ２０５：Ｎｏ）、表示装置１はステップＳ２１０に移行する。一方、奥行アイコンＱ１が操作された場合（ステップＳ２０５：Ｙｅｓ）、表示装置１はステップＳ２０６に移行する。
【００６３】
ステップＳ２０６において、制御部９は、タッチパネル７が検出した静電容量の変化量に対応する距離が第１の閾値以下であるか否かを判断する（ステップＳ２０６）。タッチパネル７が検出した静電容量の変化量に対応する距離が第１の閾値以下である場合（ステップＳ２０６：Ｙｅｓ）、制御部９は、その時点で表示部６によって表示されている３Ｄ画像の引っ込み距離が限界であるか否かを判断する（ステップＳ２０７）。３Ｄ画像の引っ込み距離が限界でない場合（ステップＳ２０７：Ｎｏ）、飛び出し設定部９３は、立体画像生成部９２が右目画像データから切出す領域を１／１００移動させる変更を行い（ステップＳ２０８）、表示装置１はステップＳ２０９に移行する。
【００６４】
これに対して、３Ｄ画像の引っ込み距離が限界である場合（ステップＳ２０７：Ｙｅｓ）、表示装置１はステップＳ２０９に移行する。
【００６５】
ステップＳ２０９において、ヘッダ情報生成部９７は、その時点で表示部６が表示している３Ｄ画像の飛び出し距離を３Ｄ画像データのヘッダ情報として生成し、この生成したヘッダ情報と３Ｄ画像データとを対応付けて画像データ記憶部８１に記憶させる。
【００６６】
続いて、制御部９は、画像再生の終了操作が行われたか否かを判断する（ステップＳ２１０）。具体的には、制御部９は、ユーザによって切換スイッチ４３が操作され、画像再生を終了する指示信号が入力されたか否かを判断する。画像再生の終了操作が行われていない場合（ステップＳ２１０：Ｎｏ）、表示装置１はステップＳ２０１に戻る。一方、画像再生の終了操作が行われた場合（ステップＳ２１０：Ｙｅｓ）、表示装置１は図８のメインルーチンに戻る。
【００６７】
つぎに、ステップＳ２０６において、タッチパネル７が検出した静電容量の変化量に対応する距離が第１の閾値でない場合（ステップＳ２０６：Ｎｏ）について説明する。この場合、制御部９は、タッチパネル７が検出した静電容量の変化量に対応する距離が第２の閾値以下であるか否かを判断する（ステップＳ２１１）。タッチパネル７が検出した静電容量の変化量に対応する距離が第２の閾値以下である場合（ステップＳ２１１：Ｙｅｓ）、制御部９は、その時点で表示部６によって表示されている３Ｄ画像の引っ込み距離が限界であるか否かを判断する（ステップＳ２１２）。３Ｄ画像の引っ込み距離が限界である場合（ステップＳ２１２：Ｙｅｓ）、表示装置１はステップＳ２０９に移行する。これに対して、３Ｄ画像の引っ込み距離が限界でない場合（ステップＳ２１２：Ｎｏ）、飛び出し設定部９３は、立体画像生成部９２が右目画像データから切出す領域を１／２０移動させる変更を行い（ステップＳ２１３）、表示装置１はステップＳ２０９に移行する。
【００６８】
つぎに、ステップＳ２１１において、タッチパネル７が検出する静電容量の変化量に対応する距離が第２の閾値以下でない場合（ステップＳ２１１：Ｎｏ）について説明する。この場合、制御部９は、その時点で表示部６によって表示されている３Ｄ画像の引っ込み距離が限界であるか否かを判断する（ステップＳ２１４）。３Ｄ画像の引っ込み距離が限界である場合（ステップＳ２１４：Ｙｅｓ）、飛び出し設定部９３は、立体画像生成部９２が右目画像データから切出す領域を初期位置に戻す変更を行い（ステップＳ２１５）、表示装置１はステップＳ２０９に移行する。
【００６９】
これに対して、３Ｄ画像の引っ込み距離が限界でない場合（ステップＳ２１４：Ｎｏ）、飛び出し設定部９３は、立体画像生成部９２が右目画像データから切出す領域を１／１０移動させる変更を行い（ステップＳ２１６）、表示装置１はステップＳ２０９に移行する。
【００７０】
以上説明した本実施の形態によれば、タッチパネル７が外部から接近してくる物体の領域および表示部の表示画面までの距離を検出するとともに、この検出結果に応じた信号の入力を受け付け、飛び出し設定部９３が表示部６によって表示される３Ｄ画像に対し、タッチパネル７が所定の領域で受け付けた信号に応じて３Ｄ画像の飛び出す距離を設定し、表示制御部９５が飛び出し設定部９３によって設定された３Ｄ画像を表示部６に表示させる制御を行う。これにより、ユーザは、３Ｄ画像である奥行アイコンＱ１を仮想的にタッチしながら３Ｄ画像の変化を確認しながら自然に調整することができるという効果を奏する。
【００７１】
また、上述した本実施の形態では、撮像部２が互いの視野の左右方向の一端部同士が重なりを有する２つの画像データを生成していたが、たとえば、一つの撮像部のみを有する構成とし、この撮像部で連続的に撮影することにより、互いの視野の左右方向の一端部同士が重なりを有する２つの画像データを生成するようにしてもよい。
【００７２】
また、上述した本実施の形態では、撮像部２が互いの視野の左右方向の一端部同士が重なりを有する２つの画像データを生成していたが、たとえば、一つの撮像素子のみを有する構成とし、この１つの撮像素子の撮影領域内に２つの光学系によって集光した２像に対応する２つの画像データを用いることにより、互いの視野の左右方向の一端部同士が重なりを有する２つの画像データを生成するようにしてもよい。
【００７３】
また、姿勢検出部３は、表示装置１の姿勢状態を検出していたが、たとえば、ユーザが表示部６の表示画面をタップした際に生じる加速度を検出することにより、表示装置１の各種撮影モードや各種設定を切換えるタップ操作の操作信号を受け付け、この操作信号を制御部９に出力するようにしてもよい。
【００７４】
また、上述した本実施の形態では、飛び出し設定部９３は、表示部６が表示する３Ｄ画像に設けられた奥行アイコンＱ１が操作された場合に立体画像生成部９２が生成する右目画像データおよび左目画像データからそれぞれ切出す領域を変更し、３Ｄ画像の飛び出し距離を設定していたが、たとえばレンズ駆動部２１ｂ，２２ｂをそれぞれ同期させながら駆動し、第１撮像部２１および第２撮像部２２それぞれの視野領域を変更することにより、３Ｄ画像の飛び出し距離を設定するようにしてもよい。
【００７５】
また、上述した本実施の形態では、飛び出し設定部９３は、表示部６が表示する３Ｄ画像に設けられた奥行アイコンＱ１が操作された場合に立体画像生成部９２が生成する右目画像データおよび左目画像データからそれぞれ切出す領域を段階的に変更していたが、たとえばタッチパネル７が受け付けた信号に応じて連続的に切出す領域を変更してもよい。
【００７６】
また、上述した本実施の形態では、ユーザが奥行アイコンＱ１を操作した場合に３Ｄ画像の飛び出し距離を変更する設定を行っていたが、たとえばユーザが３Ｄ画像内に含まれる被写体Ａ１を操作することにより、３Ｄ画像の飛び出し距離を変更する設定を行ってもよい。この場合、飛び出し設定部９３は、タッチパネル７が受け付けた信号によって指定された被写体に対し、右目画像および左目画像における被写体の重なり具合（視差）を調整することによって３Ｄ画像の飛び出し距離を設定するようにしてもよい。
【００７７】
また、上述した本実施の形態では、タッチパネル７の検出部７５が静電容量の変化に対応する距離を検出していたが、たとえばバックライト６１による照射光の表示部６の外部からの反射光を検出する光センサを設け、この光センサが検出する時間に応じて、飛び出し設定部９３は、３Ｄ画像の飛び出し距離を設定してもよい。この場合、タッチパネルとしては光電方式のタッチパネルを用いればよい。
【００７８】
また、上述した本実施の形態では、タッチパネル７の検出部７５が静電容量の変化に対応する距離を検出していたが、たとえば赤外線センサを設け、この赤外センサがフロントパネル７１に向けて赤外線を照射することにより、ユーザがフロントパネル７１に触れた領域の面積に応じて、飛び出し設定部９３は、３Ｄ画像の飛び出し距離を設定してもよい。この場合、タッチパネルとしては赤外線方式のタッチパネルを用いればよい。
【００７９】
また、上述した本実施の形態では、飛び出し設定部９３は、表示部６が表示するスルー画像または画像データ記憶部８１に記憶された画像データに対して本処理を行っていたが、たとえば撮影直後に表示部６がレックビュー表示する画像に対して本処理を行ってもよい。
【００８０】
また、上述した本実施の形態では、表示部６が表示する画像Ｗ３に設けられたＥＶアイコンＱ３が操作された場合に、露出調整部９４が撮像部２の露出を調整していたが、たとえば画像Ｗ２にズームアイコンを設け、このズームアイコンがユーザによって操作された場合に撮像部２のズーム倍率を変更するようにしてもよい。さらに、撮像モードを切換えるモード切換えアイコン等を表示部６が表示する画像Ｗ２に設けてもよい。
【００８１】
また、上述した本実施の形態では、表示装置１をデジタルステレオカメラとして説明していたが、たとえばデジタルビデオカメラ、カメラ付き携帯電話等の撮影機能および表示機能を備えた各種電子機器に適用することができる。
【符号の説明】
【００８２】
１                表示装置
２                撮像部
３                姿勢検出部
４                操作入力部
５                時計
６                表示部
７                タッチパネル
８                記憶部
９                制御部
２１              第１撮像部
２１ａ，２２ａ    レンズ部
２１ｂ，２２ｂ    レンズ駆動部
２１ｃ，２２ｃ    絞り
２１ｄ，２２ｄ    絞り駆動部
２１ｅ，２２ｅ    シャッタ
２１ｆ，２２ｆ    シャッタ駆動部
２１ｇ，２２ｇ    撮像素子
２１ｈ，２２ｈ    信号処理部
２２              第２撮像部
４１              電源スイッチ
４２              レリーズスイッチ
４３              切換スイッチ
４４              ズームスイッチ
６１              バックライト
６２              表示パネル
６３              視差バリア
７１              フロントパネル
７２              駆動部
７３              駆動電極
７４              受信電極
７５              検出部
８１              画像データ記憶部
８２              プログラム記憶部
９１              画像処理部
９２              立体画像生成部
９３              飛び出し設定部
９４              露出調整部
９５              表示制御部
９６              画像制御部
９７              ヘッダ情報生成部
Ｌ１，Ｌ２        光軸
Ｏ１              右目
Ｏ２              左目
Ｏ３              指
【図１】
2012032964.tif 000003
【図２】
2012032964.tif 000004
【図３】
2012032964.tif 000005
【図４】
2012032964.tif 000006
【図５】
2012032964.tif 000007
【図６】
2012032964.tif 000008
【図７】
2012032964.tif 000009
【図８】
2012032964.tif 000010
【図９】
2012032964.tif 000011
【図１０】
2012032964.tif 000012
【図１１】
2012032964.tif 000013
【図１２】
2012032964.tif 000014
【図１３】
2012032964.tif 000015
【図１４】
2012032964.tif 000016
【図１５】
2012032964.tif 000017